(57)【要約】【課題】表示装置が準拠する、第１の映像フォーマットよりも輝度範囲の広い第２の映像フォーマットに従う映像の規格とは異なる規格に準拠する画像信号が示す画像を、当該表示装置に適切に表示させる。【解決手段】ＳＴＢ（１）は、ＴＶ（３）が準拠する第２の映像フォーマットに従う映像の規格を示す規格情報を取得し、出力対象の画像信号が、規格情報が示す第２の映像フォーマットに従う映像の規格に準拠するものでない場合、出力対象の画像信号を、規格情報が示す規格に準拠したものとなるように変換し、変換された画像信号を出力する。【選択図】図１
2017175459.tif 000002
【特許請求の範囲】
【請求項１】
第１の映像フォーマットよりも輝度範囲の広い第２の映像フォーマットに従う画像信号を変換する信号変換装置であって、
表示装置から、当該表示装置が対応する、上記第２の映像フォーマットに従う１または複数の映像の規格を示す規格情報を取得する取得部と、
出力対象の画像信号が、上記規格情報の示す規格に準拠するものであるか否かを判定する判定部と、
上記判定部が、上記出力対象の画像信号が上記規格情報の示す規格に準拠したものではないと判定した場合、上記出力対象の画像信号を、上記規格情報が示す規格に準拠したものとなるよう変換する変換部と、
上記変換部によって変換された画像信号を上記表示装置に出力する出力部と、
を備えることを特徴とする信号変換装置。
【請求項２】
第２の映像フォーマットに従う複数の映像の規格の各々に優先順位が予め定められており、
上記取得部が取得した規格情報が複数の映像の規格を示す情報であった場合、
上記変換部は、上記出力対象の画像信号を、上記規格情報が示す複数の映像の規格のうち、優先順位が高い映像の規格に準拠したものとなるよう変換する、
ことを特徴とする請求項１に記載の信号変換装置。
【請求項３】
上記表示装置において設定可能な複数の画質設定の各々に対して、第２の映像フォーマットに従う複数の映像の規格の何れかが関連付けられており、
上記取得部は、上記表示装置に設定されている画質設定を示す画質設定情報をさらに取得し、
上記変換部は、上記出力対象の画像信号を、上記取得部が取得した画質設定情報が示す画質設定に関連付けられた映像の規格に準拠したものとなるよう変換する、
ことを特徴とする請求項１に記載の信号変換装置。
【請求項４】
上記出力対象の画像信号が表すコンテンツのジャンルの各々に対して、第２の映像フォーマットに従う複数の映像の規格の何れかが関連付けられており、
上記変換部は、上記出力対象の画像信号を、上記出力対象の画像信号が表すコンテンツのジャンルに関連付けられた映像の規格に準拠したものとなるよう変換する、
ことを特徴とする請求項１に記載の信号変換装置。
【請求項５】
当該信号変換装置の出力信号として準拠する、第２の映像フォーマットに従う複数の映像の規格を示す情報を、表示装置に供給する規格情報供給部をさらに備え、
上記取得部は、何れの第２の映像フォーマットに従う映像の規格が選択されたのかを示す選択情報をさらに取得し、
上記変換部は、上記出力対象の画像信号を、上記取得部が取得した選択情報の示す映像の規格の画像信号となるよう変換する、
ことを特徴とする請求項１に記載の信号変換装置。
【請求項６】
上記表示装置が上記第２の映像フォーマットに従う１または複数の映像の規格の何れにも準拠していない場合に、
上記変換部は、上記出力対象の画像信号を、上記第１の映像フォーマットに従う映像の画像信号に変換する、
ことを特徴とする請求項１〜５の何れか１項に記載の信号変換装置。
【請求項７】
第２の映像フォーマットに従う複数の映像の規格の各々に対応した信号を送信可能な送出機から上記出力対象の画像信号を取得する受信部を更に備え、
上記出力対象の画像信号が、上記変換部によって上記表示装置が準拠する第２の映像フォーマットに従う映像の規格に変換可能な信号でない場合に、上記受信部は、上記表示装置が準拠する第２の映像フォーマットに従う映像の規格に変換可能な信号を取得する、
ことを特徴とする請求項１〜６の何れか１項に記載の信号変換装置。
【請求項８】
セットトップボックスとして機能することを特徴とする請求項１から７の何れか１項に記載の信号変換装置。
【請求項９】
請求項１から７の何れか１項に記載の信号変換装置を備えていることを特徴とするテレビジョン受像機。
【請求項１０】
請求項１から７の何れか１項に記載の信号変換装置としてコンピュータを機能させるためのプログラムであって、上記取得部、上記判定部、上記変換部および上記出力部としてコンピュータを機能させるためのプログラム。
【請求項１１】
請求項１０に記載のプログラムを記録したコンピュータ読み取り可能な記録媒体。
【発明の詳細な説明】
【技術分野】
【０００１】
本発明は、画像信号を変換する信号変換装置、当該信号変換装置を備えるテレビジョン受像機、当該信号変換装置としてコンピュータを機能させるためのプログラム、および当該プログラムを記録した記録媒体に関する。
【背景技術】
【０００２】
表示装置が画像を高輝度、高コントラスト化して表示する技術の１つとして、従来の標準ダイナミックレンジ（ＳＤＲ（Standard Dynamic Range））より広いダイナミックレンジを有する高ダイナミックレンジ映像（ＨＤＲ（High Dynamic Range））の信号がある。ＨＤＲ信号では、高輝度・高コントラスト化が可能であるため、映像の迫力を増大させることができる。そのため、ＨＤＲ信号に関連した技術が開発されている。
【０００３】
例えば、特許文献１には、受信したＨＤＲ画像系列からＳＤＲ画像系列を生成し、生成したＳＤＲ画像系列を符号化したＳＤＲ画像系列を復号化してＨＤＲ画像系列を生成し、生成したＳＤＲ画像系列およびＨＤＲ画像系列から生成したＨＤＲ残像データを受信側へ伝送する符号化方法が開示されている。
【先行技術文献】
【特許文献】
【０００４】
【特許文献１】特開２０１０−２１３３６０号公報（２０１０年９月２４日公開）
【発明の概要】
【発明が解決しようとする課題】
【０００５】
現在、ＨＤＲ信号の規格（ＨＤＲ規格）として、ＳＭＰＴＥ（Society of Motion Picture and Television Engineers）  ＳＴ−２０８４、ＡＲＩＢ  ＳＴＤ−Ｂ６７などといった複数の規格が存在している。このような複数のＨＤＲ規格の間では、採用するＥＯＴＦ（Electro-Optical Transfer Function）などが異なっている。そのため、表示装置が準拠するＨＤＲ規格と異なるＨＤＲ規格に準拠した画像信号が入力された場合、適切な画像が表示されないという問題がある。上述の特許技術１は、この問題の解決策を提示しているものではない。
【０００６】
本発明は、前記の問題点に鑑みてなされたものであり、その目的は、表示装置が準拠する、第１の映像フォーマットよりも輝度範囲の広い第２の映像フォーマットに従う映像の規格とは異なる規格に準拠する画像信号が示す画像を、当該表示装置に適切に表示させる技術を提供することにある。
【課題を解決するための手段】
【０００７】
上記の課題を解決するために、本発明の一態様に係る信号変換装置は、第１の映像フォーマットよりも輝度範囲の広い第２の映像フォーマットに従う画像信号を変換する信号変換装置であって、表示装置から、当該表示装置が対応する、上記第２の映像フォーマットに従う１または複数の映像の規格を示す規格情報を取得する取得部と、出力対象の画像信号が、上記規格情報の示す規格に準拠するものであるか否かを判定する判定部と、上記判定部が、上記出力対象の画像信号が上記規格情報の示す規格に準拠したものではないと判定した場合、上記出力対象の画像信号を、上記規格情報が示す規格に準拠したものとなるよう変換する変換部と、上記変換部によって変換された画像信号を上記表示装置に出力する出力部と、を備える。
【発明の効果】
【０００８】
本発明の一態様によれば、表示装置が準拠する、第１の映像フォーマットよりも輝度範囲の広い第２の映像フォーマットに従う映像の規格とは異なる規格に準拠する画像信号が示す画像を、当該表示装置に適切に表示させることができる。
【図面の簡単な説明】
【０００９】
【図１】本発明の実施形態１に係る実施形態１に係る表示システムの要部構成を示すブロック図である。
【図２】本発明の実施形態１におけるＴＶ３の外観を示す図である。
【図３】本発明の実施形態１に係る実施形態１に係る表示システムが実行する処理の流れを示すフローチャートである。
【図４】本発明の実施形態１におけるＥＯＴＦ（Electro-Optical Transfer Function）の例を示すグラフである。
【発明を実施するための形態】
【００１０】
〔実施形態１〕
以下、本発明の実施の形態について、図１〜図４に基づいて詳細に説明する。
【００１１】
（表示システム１００）
図１は、実施形態１に係る表示システム１００の要部構成を示すブロック図である。図１に示すように、表示システム１００は、セットトップボックス１（信号変換装置、以下、「ＳＴＢ１」と称する場合もある）、テレビジョン受像機３（表示装置、以下、「ＴＶ３」と称する場合もある）、および送出機７によって構成されている。表示システム１００では、送出機７が出力する画像信号であって、第１の映像フォーマットよりも輝度範囲の広い第２の映像フォーマットに従う映像の規格に準拠する画像信号を、ＴＶ３はＳＴＢ１を介して取得し、取得した画像信号に基づく画像を表示する。本明細書では、第１の映像フォーマットの例としてＳＤＲ、第２の映像フォーマットの例としてＨＤＲを用いて説明する。また以下では、第２の映像フォーマットに従う映像の規格を、「ＨＤＲ規格」と称する場合もある。表示システム１００は、送出機７が出力する画像信号が準拠するＨＤＲ規格と、ＴＶ３が対応する（以下、「ＴＶ３が準拠する」とも称する場合がある）ＨＤＲ規格とが異なっている場合であっても、ＴＶ３は適切な画像を表示することができるシステムである。
【００１２】
ＨＤＲ規格として、例えば、ＳＭＰＴＥ（Society of Motion Picture and Television Engineers）ＳＴ．２０８４−２０１４、ＣＴＡ（Consumer Technology Association）−８６１−Ｆなどにより規定される映像フォーマットがある。また、ＳＤＲ規格として、例えば、Ｒｅｃ．ＩＴＵ−Ｒ  ＢＴ．７０９により規格される映像フォーマットがある。
【００１３】
なお、本明細書では、ＨＤＲ規格の例としてＳＭＰＴＥ  ＳＴ−２０８４およびＡＲＩＢ  ＳＴＤ−Ｂ６７を用いているが、本発明はこれに限定されない。
【００１４】
（ＳＴＢ１）
ＳＴＢ１は、送出機７から、ＨＤＲ規格に準拠した、出力対象の画像信号を取得し、当該出力対象の画像信号を、ＴＶ３が対応するＨＤＲ規格の画像信号となるように変換し、変換した画像信号をＴＶ３に出力する信号変換装置である。なお、「出力対象の画像信号」とは、ＳＴＢ１に入力された信号であるため、「出力対象の画像信号」を「入力画像信号」と称する場合もある。ＳＴＢ１は、図１に示すように、第１のＳＴＢ通信部１２、ＳＴＢ制御部１４、および第２のＳＴＢ通信部１６を備えている。
【００１５】
第１のＳＴＢ通信部１２は、送出機７から出力された入力画像信号を取得するインターフェースである。
【００１６】
第２のＳＴＢ通信部１６は、ＴＶ３と通信するインターフェースである。
【００１７】
ＳＴＢ制御部１４は、ＳＴＢ１の各部を統括的に制御する。ＳＴＢ制御部１４の詳細について、以下に説明する。
【００１８】
（ＳＴＢ制御部１４）
ＳＴＢ制御部１４は、図１に示すように、ＴＶ情報取得部２２（取得部）、画像信号変換部２４（変換部、受信部）、判定部２６、画像信号出力部２８（出力部）、および規格情報供給部２９を備えている。
【００１９】
ＴＶ情報取得部２２は、ＴＶ３から出力されたＴＶ３に関する情報を取得する。ＴＶ３に関する情報の例として、ＴＶ３が準拠するＨＤＲ規格を示す規格情報が挙げられる。
【００２０】
画像信号変換部２４は、入力された入力画像信号を、入力画像信号が準拠するＨＤＲ規格とは異なるＨＤＲ規格に準拠した画像信号になるよう変換する。
【００２１】
判定部２６は、ＴＶ３から取得した規格情報が示すＨＤＲ規格と、入力画像信号が準拠するＨＤＲ規格とが一致するか否かを判定する。
【００２２】
画像信号出力部２８は、画像信号変換部２４が変換した画像信号を、出力信号としてＴＶ３に出力する。
【００２３】
規格情報供給部２９は、画像信号変換部２４が、出力信号として準拠するＨＤＲ規格を示す情報を、ＴＶ３に出力する。
【００２４】
（ＴＶ３）
ＴＶ３は、ＳＴＢ１から出力された画像信号を取得し、当該画像信号に基づいた画像を表示する表示装置である。ＴＶ３は、図１に示すように、ＴＶ通信部３２、ＴＶ制御部３４、表示部３６、および操作受付部３８を備えている。
【００２５】
ＴＶ通信部３２は、ＳＴＢ１と通信するインターフェースである。
【００２６】
表示部３６は、画像信号が示す画像を表示するディスプレイデバイスである。
【００２７】
操作受付部３８は、ユーザの操作を受け付け、当該操作を示す操作情報を出力する。
【００２８】
ＴＶ制御部３４は、ＴＶ３の各部を統括的に制御する。ＴＶ制御部３４の詳細について、以下に説明する。
【００２９】
（ＴＶ制御部３４）
ＴＶ制御部３４は、図１に示すように、ＴＶ情報管理部４２および表示制御部４４を備えている。
【００３０】
ＴＶ情報管理部４２は、ＴＶ３に関する情報を管理する。
【００３１】
表示制御部４４は、取得した画像信号が示す画像を表示部３６に表示させる。
【００３２】
（送出機７）
送出機７は、１または複数のＨＤＲ規格の各々に対応した信号を送信可能である。送出機７は、例えば、Ｂｌｕ−ｒａｙ（登録商標）ディスクプレーヤ、コンテンツサーバ（オンデマンドサーバ）、および放送局などで実現される。また、送出機７は、それぞれ１または複数のＢｌｕ−ｒａｙディスクプレーヤ、コンテンツサーバ、および放送局の組み合わせによって実現されてもよい。
【００３３】
（ＴＶ３の外観）
図２は、実施形態１におけるＴＶ３の外観を示す図である。ＴＶ３は、チューナ（不図示）が示す放送番組を表示するものであるが、本発明では、表示装置として、ＴＶ３に替えて、チューナを備えないディスプレイ装置４（図２の（ａ））、パーソナルコンピュータ５（図２の（ｂ））、または情報端末装置６（図２の（ｃ））で実現してもよい。また、ＴＶ３は、ＳＴＢ１を構成する各部を備える構成であってもよい。
【００３４】
（表示システム１００が実行する処理）
図３は、実施形態１に係る表示システム１００が実行する処理の流れを示すフローチャートである。表示システム１００が実行する処理について、図３を用いて説明する。
【００３５】
（ステップＳ２）
まず、ＴＶ３のＴＶ情報管理部４２は、ＴＶ３が準拠する１または複数のＨＤＲ規格を示す規格情報を、ＴＶ通信部３２を介してＳＴＢ１に出力する。ＴＶ情報管理部４２が規格情報を出力する具体的な例として、ＥＤＩＤ、ＣＥＣによって規格情報を出力する方法が挙げられる。ＳＴＢ１のＴＶ情報取得部２２は、第２のＳＴＢ通信部１６を介して、ＴＶ３から出力された規格情報を取得する。
【００３６】
（ステップＳ４）
ＳＴＢ１の画像信号変換部２４は、送出機７から出力される入力画像信号を取得する。なお、ステップＳ２およびステップＳ４が実行される順番は逆であってもよい。
【００３７】
（ステップＳ６）
判定部２６は、ステップＳ２においてＴＶ情報取得部２２が取得した規格情報が示す規格と、ステップＳ４において画像信号変換部２４が取得した入力画像信号が準拠する規格とが、一致するか否かを判定する。換言すると、判定部２６は、ステップＳ４において画像信号変換部２４が取得した入力画像信号が、ステップＳ２においてＴＶ情報取得部２２が取得した規格情報が示す規格に準拠するものであるか否かを判定する。判定部２６が、入力画像信号は規格情報が示す規格に準拠するものであるか否かを判定する方法の例として、入力画像信号がＨＤＭＩ（登録商標）（High-Definition Multimedia Interface：高精細度マルチメディアインターフェース）規格に準拠する場合、入力画像信号に含まれる“ＩＮＦＯ  ＦＲＡＭＥ”のＥＯＴＦを参照する構成が挙げられる。
【００３８】
（ステップＳ８）
ステップＳ６において、「規格は一致しない」と判定された場合（ステップＳ６：ＮＯ）、画像信号変換部２４は、ステップＳ４において画像信号変換部２４が取得した入力画像信号を、ステップＳ２においてＴＶ情報取得部２２が取得した規格情報が示す規格に準拠したものとなるように変換する。なお、画像信号変換部２４の具体的な処理の詳細については、後述する。
【００３９】
（ステップＳ１０）
画像信号出力部２８は、ステップＳ８の処理の後、画像信号変換部２４が変換した後の画像信号を、出力信号として第２のＳＴＢ通信部１６を介してＴＶ３に出力する。また、画像信号出力部２８は、ステップＳ６において、「規格は一致する」と判定された場合（ステップＳ６：ＹＥＳ）、ステップＳ４において画像信号変換部２４が取得した入力画像信号を、出力信号として第２のＳＴＢ通信部１６を介してＴＶ３に出力する。ＴＶ３の表示制御部４４は、ＳＴＢ１から出力された出力信号を、ＴＶ通信部３２を介して取得する。
【００４０】
（ステップＳ１２）
表示制御部４４は、ステップＳ１０において取得した出力信号が示す画像を、表示部３６に表示する。
【００４１】
（画像信号変換部２４の処理の例１）
画像信号変換部２４の処理の一例について、図４を用いて説明する。図４は、本実施形態におけるＥＯＴＦ（Electro-Optical Transfer Function）の例を示すグラフである。図４の（ａ）は、ＳＴＤ−Ｂ６７のＥＯＴＦを示すグラフであり、（ｂ）は、ＳＴ−２０８４のＥＯＴＦを示すグラフであり、（ｃ）は、ＳＤＲ信号のＥＯＴＦを示すグラフである。図４に示すように、各ＨＤＲ規格およびＳＤＲ規格が採用するＥＯＴＦおよびＳＤＲ信号のＥＯＴＦはそれぞれ異なっている。そのため、画像信号変換部２４は、取得した入力画像信号におけるＥＯＴＦを、ＴＶ３が準拠するＨＤＲ規格に準拠したＥＯＴＦとなるように変換する。
【００４２】
例えば、ＴＶ３がＳＴＤ−Ｂ６７に準拠し、画像信号変換部２４がＳＴ−２０８４に準拠する入力画像信号を取得した場合、画像信号変換部２４は、入力画像信号において、表示する輝度を１００ｃｄ／ｍ２に指定された階調値が、最大階調値を１とした場合の０．５に相当する階調値になるよう変換する構成が挙げられる。
【００４３】
他の例として、ＴＶ３がＳＴ−２０８４に準拠し、画像信号変換部２４がＳＴＤ−Ｂ６７に準拠する入力画像信号を取得した場合、画像信号変換部２４は、入力画像信号において、最大階調値を１とした場合の０．５に相当する階調値が、１００ｃｄ／ｍ２に指定される階調値になるよう変換する構成が挙げられる。
【００４４】
（画像信号変換部２４の処理の例２）
画像信号変換部２４の処理の他の例について説明する。
【００４５】
各ＨＤＲ規格では、最大輝度を指定する方法も異なる。例えば、ＳＴＤ−Ｂ６７では最大輝度は指定されないが、ＳＴ−２０８４のＤｏｌｂｙ  Ｖｉｓｉｏｎ（登録商標）では、フレーム毎に動的に変化するＭＡＸ＿ＣＬＬとして指定される。また、ＳＴ−２０８４のＤｏｌｂｙ  Ｖｉｓｉｏｎ以外の規格では、画像信号が表すコンテンツにおける最大輝度が固定値でＭＡＸ＿ＣＬＬとして指定される。そこで、画像信号変換部２４が、ＴＶ３が出力する最大輝度が、取得した入力画像信号において設定された最大輝度となるように画像信号を変換する処理の例を以下に挙げ、説明する。なお、以下の説明では、ＳＴＢ１が出力信号をＨＤＭＩ規格に準拠する画像信号として出力する場合について説明するため、出力信号に含まれる“ＩＮＦＯ  ＦＲＡＭＥ”のＭＡＸ＿ＣＬＬを設定する構成について説明するが、本発明の構成はこれに限定されない。
【００４６】
例えば、ＴＶ３がＤｏｌｂｙ  Ｖｉｓｉｏｎに準拠し、画像信号変換部２４がＳＴＤ−Ｂ６７に準拠する入力画像信号を取得した場合、画像信号変換部２４は、入力画像信号のフレーム毎の最大階調値を、動的に変化するＭＡＸ＿ＣＬＬとして設定する構成が挙げられる。
【００４７】
また、ＴＶ３がＤｏｌｂｙ  Ｖｉｓｉｏｎに準拠し、画像信号変換部２４がＳＴＤ−Ｂ６７に準拠する入力画像信号を取得した場合の他の例として、画像信号変換部２４は、任意の値をＭＡＸ＿ＣＬＬとして設定する構成が挙げられる。
【００４８】
他の例として、ＴＶ３がＤｏｌｂｙ  Ｖｉｓｉｏｎ以外のＳＴ−２０８４に準拠し、画像信号変換部２４がＳＴＤ−Ｂ６７に準拠する入力画像信号を取得した場合、画像信号変換部２４は、任意の値をＭＡＸ＿ＣＬＬとして設定する構成が挙げられる。
【００４９】
さらに他の例として、ＴＶ３がＤｏｌｂｙ  Ｖｉｓｉｏｎに準拠し、画像信号変換部２４がＤｏｌｂｙ  Ｖｉｓｉｏｎ以外のＳＴ−２０８４に準拠する入力画像信号を取得した場合、画像信号変換部２４は、フレーム毎の最大階調値を、動的に変化するＭＡＸ＿ＣＬＬとして設定する構成が挙げられる。
【００５０】
また、ＴＶ３がＤｏｌｂｙ  Ｖｉｓｉｏｎに準拠し、画像信号変換部２４がＤｏｌｂｙ  Ｖｉｓｉｏｎ以外のＳＴ−２０８４に準拠する入力画像信号を取得した場合の他の例として、画像信号変換部２４は、入力画像信号に含まれるＭＡＸ＿ＣＬＬを、そのままＭＡＸ＿ＣＬＬとして設定する構成が挙げられる。
【００５１】
また、ＴＶ３がＤｏｌｂｙ  Ｖｉｓｉｏｎ以外のＳＴ−２０８４に準拠し、画像信号変換部２４がＤｏｌｂｙ  Ｖｉｓｉｏｎに準拠する場合、画像信号変換部２４は、任意の値をＭＡＸ＿ＣＬＬとして設定する構成が挙げられる。
【００５２】
なお、任意の値の例として、表示部３６が出力可能な輝度の８０％の値や、１０００ｃｄ／ｍ２などが挙げられる。
【００５３】
このように、本実施形態に係る表示システム１００では、ＳＴＢ１は、ＴＶ３から規格情報を取得し、出力対象の画像信号が、規格情報が示す規格に準拠するものではないと判定した場合、出力対象の画像信号を、規格情報が示す規格に準拠したものとなるよう変換する。そのため、表示システム１００では、ＴＶ３が準拠するＨＤＲ規格とは異なるＨＤＲ規格に準拠した画像信号の画像を、ＴＶ３に適切に表示させることができる。
【００５４】
〔実施形態２〕
本発明の他の実施形態について説明する。なお、説明の便宜上、前記実施形態にて説明した部材と同じ機能を有する部材については、同じ符号を付記し、その説明を省略する。本実施形態では、ＳＴＢ１がＴＶ３に適したＨＤＲ規格を選択する方法について説明する。
【００５５】
（ＨＤＲ規格を選択する方法１）
ＳＴＢ１がＨＤＲ規格を選択する方法の一例について説明する。
【００５６】
まず、ＳＴＢ１において、複数のＨＤＲ規格の各々に優先順位を予め定めておく。そして、ＴＶ３が複数のＨＤＲ規格に準拠する場合（規格情報が複数のＨＤＲ規格を示す場合）、画像信号変換部２４は、上述したステップＳ８において、ＴＶ３が準拠するＨＤＲ規格のうち、優先順位が高いＨＤＲ規格に準拠したものとなるよう、入力画像信号を変換する。
【００５７】
このように、ＳＴＢ１において、複数のＨＤＲ規格の各々に優先順位を予め定めておくことにより、ＳＴＢ１は、ＴＶ３が複数のＨＤＲ規格に準拠する場合であっても、入力画像信号を、より適切なＨＤＲ規格の画像信号に変換することができる。
【００５８】
（ＨＤＲ規格を選択する方法２）
ＳＴＢ１がＨＤＲ規格を選択する方法の他の例について説明する。
【００５９】
まず、ＳＴＢ１において、ＴＶ３で設定可能な複数の画質設定の各々に対して、複数のＨＤＲ規格の何れかを関連付けておく。そして、ＴＶ３のＴＶ情報管理部４２は、上述したステップＳ２において、規格情報に加えて、ＴＶ３に設定されている画質設定を示す画質設定情報をさらに出力する。画像信号変換部２４は、上述したステップＳ８において、ＴＶ３から取得した画質設定情報が示す画質設定に関連付けられたＨＤＲ規格に準拠したものとなるよう、入力画像信号を変換する。
【００６０】
このように、ＳＴＢ１において、ＴＶ３で設定可能な複数の画質設定の各々に対して、複数のＨＤＲ規格の何れかを関連付けておくことにより、ＳＴＢ１は、ＴＶ３で設定されている画質設定に適したＨＤＲ規格の画像信号に変換することができる。
【００６１】
（ＨＤＲ規格を選択する方法３）
ＳＴＢ１がＨＤＲ規格を選択する方法のさらに他の例について説明する。
【００６２】
まず、ＳＴＢ１において、入力画像信号が表すコンテンツのジャンルの各々に対して、複数のＨＤＲ規格の何れかを関連付けておく。そして、画像信号変換部２４は、上述したステップＳ８において、入力画像信号が表すコンテンツのジャンルに関連付けられたＨＤＲ規格に準拠したものとなるよう、入力画像信号を変換する。
【００６３】
このように、ＳＴＢ１において、入力画像信号が表すコンテンツのジャンルの各々に対して、複数のＨＤＲ規格の何れかを関連付けておくことにより、ＳＴＢ１は、入力画像信号を、入力画像信号が表すコンテンツに適したＨＤＲ規格の画像信号に変換することができる。
【００６４】
（ＨＤＲ規格を選択する方法４）
ＳＴＢ１がＨＤＲ規格を選択する方法のさらに他の例について説明する。
【００６５】
まず、ＳＴＢ１の規格情報供給部２９は、第２のＳＴＢ通信部１６を介して、ＳＴＢ１が出力信号として準拠する複数のＨＤＲ規格を示す情報を、ＴＶ３に供給する。
【００６６】
ＴＶ３の表示制御部４４は、上記情報を取得すると、当該情報が示す複数のＨＤＲ規格の何れかをユーザに選択させる画面を、表示部３６に表示させる。そして、操作受付部３８が上記複数の何れのＨＤＲ規格を選択する旨の操作信号を受け付けると、ＴＶ情報管理部４２は、何れのＨＤＲ規格が選択さえたのかを示す選択情報を、ＴＶ通信部３２を介して出力する。
【００６７】
ＳＴＢ１のＴＶ情報取得部２２が第２のＳＴＢ通信部１６を介して上記選択情報を取得すると、画像信号変換部２４は、上記選択情報の示すＨＤＲ規格信号の画像信号となるように、入力画像信号を変換する。
【００６８】
このように、ＳＴＢ１は、ＳＴＢ１が出力信号として準拠する複数のＨＤＲ規格を示す情報を、ＴＶ３に供給する。そして、ＳＴＢ１は、ＴＶ３から、何れのＨＤＲ規格が選択されたのかを示す選択情報を取得する。この構成により、ＳＴＢ１は、入力画像信号を、ユーザが所望するＨＤＲ規格の画像信号に変換することができる。
【００６９】
（ＴＶ３がＨＤＲ規格に準拠しない場合の例）
ＴＶ３がＨＤＲ規格に準拠しない場合の例について説明する。
【００７０】
ＳＴＢ１のＴＶ情報取得部２２が取得したＴＶ３の規格情報が、何れのＨＤＲ規格にも準拠していない場合、画像信号変換部２４は、入力画像信号を、ＨＤＲより狭いダイナミックレンジ映像の画像信号であるＳＤＲ画像信号に変換する。
【００７１】
このように、ＳＴＢ１は、ＴＶ３がＨＤＲ規格の何れにも準拠していない場合に、入力画像信号をＳＤＲ画像信号に変換する。そのため、ＳＴＢ１は、ＨＤＲ規格の何れにも準拠していないＴＶ３に対しても、ＨＤＲ規格に準拠した入力画像信号を、表示可能な画像信号に変換することができる。
【００７２】
〔実施形態３〕
本発明の他の実施形態について説明する。なお、説明の便宜上、前記実施形態にて説明した部材と同じ機能を有する部材については、同じ符号を付記し、その説明を省略する。
【００７３】
上述した実施形態では、ＳＴＢ１は１つのＨＤＲ規格に対応した入力画像信号を取得する構成について説明したが、本実施形態では、ＳＴＢ１が複数のＨＤＲ規格の各々に対応した入力画像信号を取得する構成について説明する。
【００７４】
本実施形態では、ＴＶ３が準拠するＨＤＲ規格が、ＨＤＲ規格２であり、ＳＴＢ１は、ＨＤＲ規格１に準拠した入力画像信号をＨＤＲ規格３に変換でき、また、ＨＤＲ規格４に準拠した入力画像信号をＨＤＲ規格２に変換できる場合を例に挙げ、説明する。
【００７５】
まず、ステップＳ２において、ＴＶ３のＴＶ情報管理部４２は、ＨＤＲ２を示す規格情報を、ＴＶ通信部３２を介してＳＴＢ１に出力する。ＳＴＢ１のＴＶ情報取得部２２は、第２のＳＴＢ通信部１６を介して、ＴＶ３から出力された規格情報を取得する。
【００７６】
続いて、ステップＳ４において、画像信号変換部２４は、ＨＤＲ規格１に準拠した入力画像信号を取得する。この場合、ステップＳ６において、判定部２６は、ステップＳ２においてＴＶ情報取得部２２が取得した規格情報が示す規格と、ステップＳ４において画像信号変換部２４が取得した入力画像信号が準拠する規格とは、一致しないと判定する。
【００７７】
この場合、ステップＳ８において、画像信号変換部２４は、ＨＤＲ規格１に準拠した入力画像信号を、ＴＶ３が準拠するＨＤＲ規格２に準拠した画像信号に変換しようとするものの、本実施形態における画像信号変換部２４は、ＨＤＲ規格１に準拠した画像信号をＨＤＲ規格２に準拠した画像信号に変換することはできない。そのため、画像信号変換部２４は、ＨＤＲ規格４に準拠した入力画像信号を、送出機７から取得する。画像信号変換部２４が送出機７からＨＤＲ規格４に準拠した入力画像信号を取得する方法の例として、送出機７に対して、画像信号変換部２４がＨＤＲ規格４に準拠した入力画像信号を要求する構成が挙げられる。
【００７８】
このように、本実施形態におけるＳＴＢ１は、ＴＶ３が準拠するＨＤＲ規格に変換可能でない信号を取得した場合、複数のＨＤＲ規格の各々に対応した信号を送出可能な送出機７から、ＴＶ３が準拠するＨＤＲ規格に変換可能な信号を取得する。そのため、ＳＴＢ１は、ＴＶ３が準拠するＨＤＲ規格に応じて、適切な入力画像信号を取得することができる。
【００７９】
〔ソフトウェアによる実現例〕
ＳＴＢ１の制御ブロック（特にＳＴＢ制御部１４）は、集積回路（ＩＣチップ）等に形成された論理回路（ハードウェア）によって実現してもよいし、ＣＰＵ（Central Processing Unit）を用いてソフトウェアによって実現してもよい。
【００８０】
後者の場合、ＳＴＢ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化され、搬送波に埋め込まれたデータ信号の形態でも実現され得る。
【００８１】
〔まとめ〕
本発明の態様１に係る信号変換装置（ＳＴＢ１）は、第１の映像フォーマットよりも輝度範囲の広い第２の映像フォーマットに従う画像信号を変換する信号変換装置であって、表示装置（ＴＶ３）から、当該表示装置が対応する、上記第２の映像フォーマットに従う１または複数の映像の規格を示す規格情報を取得する取得部（ＴＶ情報取得部）と、出力対象の画像信号が、上記規格情報の示す規格に準拠するものであるか否かを判定する判定部（２６）と、上記判定部が、上記出力対象の画像信号が上記規格情報の示す規格に準拠したものではないと判定した場合、上記出力対象の画像信号を、上記規格情報が示す規格に準拠したものとなるよう変換する変換部（画像信号変換部２４）と、上記変換部によって変換された画像信号を上記表示装置に出力する出力部（画像信号出力部）と、を備える。
【００８２】
上記の構成によれば、本態様に係る信号変換装置は、表示装置が対応する、輝度範囲の広い第２の映像フォーマットに従う映像の規格（以下、ＨＤＲ規格）と、出力対象の画像信号が準拠するＨＤＲ規格とが異なる場合、出力対象の画像信号を、表示装置が準拠するＨＤＲ規格の画像信号となるよう変換する。そのため、本態様に係る信号変換装置は、表示装置が準拠するＨＤＲ規格とは異なるＨＤＲ規格に準拠する画像信号が示す画像を、当該表示装置に適切に表示させることができる。
【００８３】
本発明の態様２に係る信号変換装置は、上記態様１において、第２の映像フォーマットに従う複数の映像の規格の各々に優先順位が予め定められており、上記取得部が取得した規格情報が複数の映像の規格を示す情報であった場合、上記変換部は、上記出力対象の画像信号を、上記規格情報が示す複数の映像の規格のうち、優先順位が高い映像の規格に準拠したものとなるよう変換してもよい。
【００８４】
上記の構成によれば、本態様に係る信号変換装置は、表示装置が複数のＨＤＲ規格に対応する場合であっても、出力対象の画像信号を、より適切なＨＤＲ規格の画像信号に変換することができる。
【００８５】
本発明の態様３に係る信号変換装置は、上記態様１において、上記表示装置において設定可能な複数の画質設定の各々に対して、第２の映像フォーマットに従う複数の映像の規格の何れかが関連付けられており、上記取得部は、上記表示装置に設定されている画質設定を示す画質設定情報をさらに取得し、上記変換部は、上記出力対象の画像信号を、上記取得部が取得した画質設定情報が示す画質設定に関連付けられた映像の規格に準拠したものとなるよう変換してもよい。
【００８６】
上記の構成によれば、本態様に係る信号変換装置は、表示装置において設定されている画質設定に適したＨＤＲ規格の画像信号に変換することができる。
【００８７】
本発明の態様４に係る信号変換装置は、上記態様１において、上記出力対象の画像信号が表すコンテンツのジャンルの各々に対して、第２の映像フォーマットに従う複数の映像の規格の何れかが関連付けられており、上記変換部は、上記出力対象の画像信号を、上記出力対象の画像信号が表すコンテンツのジャンルに関連付けられた映像の規格に準拠したものとなるよう変換してもよい。
【００８８】
上記の構成によれば、本態様に係る信号変換装置は、出力対象の画像信号を、出力対象の画像信号が表すコンテンツに適したＨＤＲ規格の画像信号に変換することができる。
【００８９】
本発明の態様５に係る信号変換装置は、上記態様１において、当該信号変換装置の出力信号として準拠する、第２の映像フォーマットに従う複数の映像の規格を示す情報を、表示装置に供給する規格情報供給部をさらに備え、上記取得部は、何れの第２の映像フォーマットに従う映像の規格が選択されたのかを示す選択情報をさらに取得し、上記変換部は、上記出力対象の画像信号を、上記取得部が取得した選択情報の示す映像の規格の画像信号となるよう変換してもよい。
【００９０】
上記の構成によれば、本態様に係る信号変換装置は、出力対象の画像信号を、表示装置のユーザが所望するＨＤＲ規格の画像信号に変換することができる。
【００９１】
本発明の態様６に係る信号変換装置は、上記態様１〜５の何れかにおいて、上記表示装置が上記第２の映像フォーマットに従う１または複数の映像の規格の何れにも準拠していない場合に、上記変換部は、上記出力対象の画像信号を、上記第１の映像フォーマットに従う映像の画像信号に変換してもよい。
【００９２】
上記の構成によれば、本態様に係る信号変換装置は、表示装置がＨＤＲ規格の何れにも準拠していない場合であっても、表示装置が表示可能な画像信号に変換することができる。
【００９３】
本発明の態様７に係る信号変換装置は、上記態様１〜６の何れかにおいて、第２の映像フォーマットに従う複数の映像の規格の各々に対応した信号を送信可能な送出機から上記出力対象の画像信号を取得する受信部（画像信号変換部２４）を更に備え、上記出力対象の画像信号が、上記変換部によって上記表示装置が準拠する第２の映像フォーマットに従う映像の規格に変換可能な信号でない場合に、上記受信部は、上記表示装置が準拠する第２の映像フォーマットに従う映像の規格に変換可能な信号を取得してもよい。
【００９４】
上記の構成によれば、本態様に係る信号変換装置は、表示装置が準拠するＨＤＲ規格に応じて、適切な出力対象の画像信号を取得することができる。
【００９５】
本発明の態様８に係る信号変換装置は、上記態様１〜７の何れかにおいて、セットトップボックスとして機能する。
【００９６】
上記の構成によれば、上記態様１〜７の何れかに係る信号変換装置として機能するセットトップボックスを実現できる。
【００９７】
本発明の態様９に係るテレビジョン受像機は、上記態様１〜７の何れかに記載の信号変換装置を備えている。
【００９８】
上記の構成によれば、上記態様１〜７の何れかに係る信号変換装置として機能するテレビジョン受像機を実現できる。
【００９９】
本発明の各態様に係る信号変換装置は、コンピュータによって実現してもよく、この場合には、コンピュータを上記信号変換装置が備える各部（ソフトウェア要素）として動作させることにより上記信号変換装置をコンピュータにて実現させる信号変換装置のプログラム、およびそれを記録したコンピュータ読み取り可能な記録媒体も、本発明の範疇に入る。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０１】
１      セットトップボックス（ＳＴＢ、信号変換装置）
３      テレビジョン受像機（ＴＶ、表示装置）
７      送出機
２２    ＴＶ情報取得部（取得部）
２４    画像信号変換部（変換部、受信部）
２６    判定部
２８    画像信号出力部（出力部）
３４    ＴＶ制御部
４２    ＴＶ情報管理部
４４    表示制御部
１００  表示システム
【図１】
2017175459.tif 000003
【図２】
2017175459.tif 000004
【図３】
2017175459.tif 000005
【図４】
2017175459.tif 000006
【手続補正書】
【提出日】平成29年2月22日(2017.2.22)
【手続補正１】
【補正対象書類名】明細書
【補正対象項目名】全文
【補正方法】変更
【補正の内容】
【発明の詳細な説明】
【技術分野】
【０００１】
本発明は、画像信号を変換する信号変換装置、信号変換方法、当該信号変換装置を備えるテレビジョン受像機、当該信号変換装置としてコンピュータを機能させるためのプログラム、および当該プログラムを記録した記録媒体に関する。
【背景技術】
【０００２】
表示装置が画像を高輝度、高コントラスト化して表示する技術の１つとして、従来の標準ダイナミックレンジ（ＳＤＲ（Standard Dynamic Range））より広いダイナミックレンジを有する高ダイナミックレンジ映像（ＨＤＲ（High Dynamic Range））の信号がある。ＨＤＲ信号では、高輝度・高コントラスト化が可能であるため、映像の迫力を増大させることができる。そのため、ＨＤＲ信号に関連した技術が開発されている。
【０００３】
例えば、特許文献１には、受信したＨＤＲ画像系列からＳＤＲ画像系列を生成し、生成したＳＤＲ画像系列を符号化したＳＤＲ画像系列を復号化してＨＤＲ画像系列を生成し、生成したＳＤＲ画像系列およびＨＤＲ画像系列から生成したＨＤＲ残像データを受信側へ伝送する符号化方法が開示されている。
【先行技術文献】
【特許文献】
【０００４】
【特許文献１】特開２０１０−２１３３６０号公報（２０１０年９月２４日公開）
【発明の概要】
【発明が解決しようとする課題】
【０００５】
現在、ＨＤＲ信号の規格（ＨＤＲ規格）として、ＳＭＰＴＥ（Society of Motion Picture and Television Engineers）  ＳＴ−２０８４、ＡＲＩＢ  ＳＴＤ−Ｂ６７などといった複数の規格が存在している。このような複数のＨＤＲ規格の間では、採用するＥＯＴＦ（Electro-Optical Transfer Function）などが異なっている。そのため、表示装置が準拠するＨＤＲ規格と異なるＨＤＲ規格に準拠した画像信号が入力された場合、適切な画像が表示されないという問題がある。上述の特許技術１は、この問題の解決策を提示しているものではない。
【０００６】
本発明は、前記の問題点に鑑みてなされたものであり、その目的は、表示装置が準拠する、第１の映像フォーマットよりも輝度範囲の広い第２の映像フォーマットに従う映像の規格とは異なる規格に準拠する画像信号が示す画像を、当該表示装置に適切に表示させる技術を提供することにある。
【課題を解決するための手段】
【０００７】
上記の課題を解決するために、本発明の一態様に係る信号変換装置は、第１の映像フォーマットよりも輝度範囲の広い第２の映像フォーマットに従う画像信号を変換する信号変換装置であって、表示装置から、当該表示装置が対応する、上記第２の映像フォーマットに従う１または複数の映像の規格を示す規格情報を取得する取得部と、出力対象の画像信号が、上記規格情報の示す規格に準拠するものであるか否かを判定する判定部と、上記判定部が、上記出力対象の画像信号が上記規格情報の示す規格に準拠したものではないと判定した場合、上記出力対象の画像信号を、上記規格情報が示す規格に準拠したものとなるよう変換する変換部と、上記変換部によって変換された画像信号を上記表示装置に出力する出力部と、を備える。
【０００８】
また、上記の課題を解決するため、本発明の一態様に係る信号変換方法は、第１の映像フォーマットよりも輝度範囲の広い第２の映像フォーマットに従う画像信号を変換する信号変換方法であって、表示装置から、当該表示装置が対応する、上記第２の映像フォーマットに従う１または複数の映像の規格を示す規格情報を取得し、出力対象の画像信号が、上記規格情報の示す規格に準拠するものでない場合、上記出力対象の画像信号を、上記規格情報が示す規格に準拠したものとなるよう変換し、変換された画像信号を上記表示装置に出力する。
【発明の効果】
【０００９】
本発明の一態様によれば、表示装置が準拠する、第１の映像フォーマットよりも輝度範囲の広い第２の映像フォーマットに従う映像の規格とは異なる規格に準拠する画像信号が示す画像を、当該表示装置に適切に表示させることができる。
【図面の簡単な説明】
【００１０】
【図１】本発明の実施形態１に係る実施形態１に係る表示システムの要部構成を示すブロック図である。
【図２】本発明の実施形態１におけるＴＶ３の外観を示す図である。
【図３】本発明の実施形態１に係る実施形態１に係る表示システムが実行する処理の流れを示すフローチャートである。
【図４】本発明の実施形態１におけるＥＯＴＦ（Electro-Optical Transfer Function）の例を示すグラフである。
【発明を実施するための形態】
【００１１】
〔実施形態１〕
以下、本発明の実施の形態について、図１〜図４に基づいて詳細に説明する。
【００１２】
（表示システム１００）
図１は、実施形態１に係る表示システム１００の要部構成を示すブロック図である。図１に示すように、表示システム１００は、セットトップボックス１（信号変換装置、以下、「ＳＴＢ１」と称する場合もある）、テレビジョン受像機３（表示装置、以下、「ＴＶ３」と称する場合もある）、および送出機７によって構成されている。表示システム１００では、送出機７が出力する画像信号であって、第１の映像フォーマットよりも輝度範囲の広い第２の映像フォーマットに従う映像の規格に準拠する画像信号を、ＴＶ３はＳＴＢ１を介して取得し、取得した画像信号に基づく画像を表示する。本明細書では、第１の映像フォーマットの例としてＳＤＲ、第２の映像フォーマットの例としてＨＤＲを用いて説明する。また以下では、第２の映像フォーマットに従う映像の規格を、「ＨＤＲ規格」と称する場合もある。表示システム１００は、送出機７が出力する画像信号が準拠するＨＤＲ規格と、ＴＶ３が対応する（以下、「ＴＶ３が準拠する」とも称する場合がある）ＨＤＲ規格とが異なっている場合であっても、ＴＶ３は適切な画像を表示することができるシステムである。
【００１３】
ＨＤＲ規格として、例えば、ＳＭＰＴＥ（Society of Motion Picture and TelevisionEngineers）ＳＴ．２０８４−２０１４、ＣＴＡ（Consumer Technology Association）−８６１−Ｆなどにより規定される映像フォーマットがある。また、ＳＤＲ規格として、例えば、Ｒｅｃ．ＩＴＵ−Ｒ  ＢＴ．７０９により規格される映像フォーマットがある。
【００１４】
なお、本明細書では、ＨＤＲ規格の例としてＳＭＰＴＥ  ＳＴ−２０８４およびＡＲＩＢ  ＳＴＤ−Ｂ６７を用いているが、本発明はこれに限定されない。
【００１５】
（ＳＴＢ１）
ＳＴＢ１は、送出機７から、ＨＤＲ規格に準拠した、出力対象の画像信号を取得し、当該出力対象の画像信号を、ＴＶ３が対応するＨＤＲ規格の画像信号となるように変換し、変換した画像信号をＴＶ３に出力する信号変換装置である。なお、「出力対象の画像信号」とは、ＳＴＢ１に入力された信号であるため、「出力対象の画像信号」を「入力画像信号」と称する場合もある。ＳＴＢ１は、図１に示すように、第１のＳＴＢ通信部１２、ＳＴＢ制御部１４、および第２のＳＴＢ通信部１６を備えている。
【００１６】
第１のＳＴＢ通信部１２は、送出機７から出力された入力画像信号を取得するインターフェースである。
【００１７】
第２のＳＴＢ通信部１６は、ＴＶ３と通信するインターフェースである。
【００１８】
ＳＴＢ制御部１４は、ＳＴＢ１の各部を統括的に制御する。ＳＴＢ制御部１４の詳細について、以下に説明する。
【００１９】
（ＳＴＢ制御部１４）
ＳＴＢ制御部１４は、図１に示すように、ＴＶ情報取得部２２（取得部）、画像信号変換部２４（変換部、受信部）、判定部２６、画像信号出力部２８（出力部）、および規格情報供給部２９を備えている。
【００２０】
ＴＶ情報取得部２２は、ＴＶ３から出力されたＴＶ３に関する情報を取得する。ＴＶ３に関する情報の例として、ＴＶ３が準拠するＨＤＲ規格を示す規格情報が挙げられる。
【００２１】
画像信号変換部２４は、入力された入力画像信号を、入力画像信号が準拠するＨＤＲ規格とは異なるＨＤＲ規格に準拠した画像信号になるよう変換する。
【００２２】
判定部２６は、ＴＶ３から取得した規格情報が示すＨＤＲ規格と、入力画像信号が準拠するＨＤＲ規格とが一致するか否かを判定する。
【００２３】
画像信号出力部２８は、画像信号変換部２４が変換した画像信号を、出力信号としてＴＶ３に出力する。
【００２４】
規格情報供給部２９は、画像信号変換部２４が、出力信号として準拠するＨＤＲ規格を示す情報を、ＴＶ３に出力する。
【００２５】
（ＴＶ３）
ＴＶ３は、ＳＴＢ１から出力された画像信号を取得し、当該画像信号に基づいた画像を表示する表示装置である。ＴＶ３は、図１に示すように、ＴＶ通信部３２、ＴＶ制御部３４、表示部３６、および操作受付部３８を備えている。
【００２６】
ＴＶ通信部３２は、ＳＴＢ１と通信するインターフェースである。
【００２７】
表示部３６は、画像信号が示す画像を表示するディスプレイデバイスである。
【００２８】
操作受付部３８は、ユーザの操作を受け付け、当該操作を示す操作情報を出力する。
【００２９】
ＴＶ制御部３４は、ＴＶ３の各部を統括的に制御する。ＴＶ制御部３４の詳細について、以下に説明する。
【００３０】
（ＴＶ制御部３４）
ＴＶ制御部３４は、図１に示すように、ＴＶ情報管理部４２および表示制御部４４を備えている。
【００３１】
ＴＶ情報管理部４２は、ＴＶ３に関する情報を管理する。
【００３２】
表示制御部４４は、取得した画像信号が示す画像を表示部３６に表示させる。
【００３３】
（送出機７）
送出機７は、１または複数のＨＤＲ規格の各々に対応した信号を送信可能である。送出機７は、例えば、Ｂｌｕ−ｒａｙ（登録商標）ディスクプレーヤ、コンテンツサーバ（オンデマンドサーバ）、および放送局などで実現される。また、送出機７は、それぞれ１または複数のＢｌｕ−ｒａｙディスクプレーヤ、コンテンツサーバ、および放送局の組み合わせによって実現されてもよい。
【００３４】
（ＴＶ３の外観）
図２は、実施形態１におけるＴＶ３の外観を示す図である。ＴＶ３は、チューナ（不図示）が示す放送番組を表示するものであるが、本発明では、表示装置として、ＴＶ３に替えて、チューナを備えないディスプレイ装置４（図２の（ａ））、パーソナルコンピュータ５（図２の（ｂ））、または情報端末装置６（図２の（ｃ））で実現してもよい。また、ＴＶ３は、ＳＴＢ１を構成する各部を備える構成であってもよい。
【００３５】
（表示システム１００が実行する処理）
図３は、実施形態１に係る表示システム１００が実行する処理の流れを示すフローチャートである。表示システム１００が実行する処理について、図３を用いて説明する。
【００３６】
（ステップＳ２）
まず、ＴＶ３のＴＶ情報管理部４２は、ＴＶ３が準拠する１または複数のＨＤＲ規格を示す規格情報を、ＴＶ通信部３２を介してＳＴＢ１に出力する。ＴＶ情報管理部４２が規格情報を出力する具体的な例として、ＥＤＩＤ、ＣＥＣによって規格情報を出力する方法が挙げられる。ＳＴＢ１のＴＶ情報取得部２２は、第２のＳＴＢ通信部１６を介して、ＴＶ３から出力された規格情報を取得する。
【００３７】
（ステップＳ４）
ＳＴＢ１の画像信号変換部２４は、送出機７から出力される入力画像信号を取得する。なお、ステップＳ２およびステップＳ４が実行される順番は逆であってもよい。
【００３８】
（ステップＳ６）
判定部２６は、ステップＳ２においてＴＶ情報取得部２２が取得した規格情報が示す規格と、ステップＳ４において画像信号変換部２４が取得した入力画像信号が準拠する規格とが、一致するか否かを判定する。換言すると、判定部２６は、ステップＳ４において画像信号変換部２４が取得した入力画像信号が、ステップＳ２においてＴＶ情報取得部２２が取得した規格情報が示す規格に準拠するものであるか否かを判定する。判定部２６が、入力画像信号は規格情報が示す規格に準拠するものであるか否かを判定する方法の例として、入力画像信号がＨＤＭＩ（登録商標）（High-Definition Multimedia Interface：高精細度マルチメディアインターフェース）規格に準拠する場合、入力画像信号に含まれる“ＩＮＦＯ  ＦＲＡＭＥ”のＥＯＴＦを参照する構成が挙げられる。
【００３９】
（ステップＳ８）
ステップＳ６において、「規格は一致しない」と判定された場合（ステップＳ６：ＮＯ）、画像信号変換部２４は、ステップＳ４において画像信号変換部２４が取得した入力画像信号を、ステップＳ２においてＴＶ情報取得部２２が取得した規格情報が示す規格に準拠したものとなるように変換する。なお、画像信号変換部２４の具体的な処理の詳細については、後述する。
【００４０】
（ステップＳ１０）
画像信号出力部２８は、ステップＳ８の処理の後、画像信号変換部２４が変換した後の画像信号を、出力信号として第２のＳＴＢ通信部１６を介してＴＶ３に出力する。また、画像信号出力部２８は、ステップＳ６において、「規格は一致する」と判定された場合（ステップＳ６：ＹＥＳ）、ステップＳ４において画像信号変換部２４が取得した入力画像信号を、出力信号として第２のＳＴＢ通信部１６を介してＴＶ３に出力する。ＴＶ３の表示制御部４４は、ＳＴＢ１から出力された出力信号を、ＴＶ通信部３２を介して取得する。
【００４１】
（ステップＳ１２）
表示制御部４４は、ステップＳ１０において取得した出力信号が示す画像を、表示部３６に表示する。
【００４２】
（画像信号変換部２４の処理の例１）
画像信号変換部２４の処理の一例について、図４を用いて説明する。図４は、本実施形態におけるＥＯＴＦ（Electro-Optical Transfer Function）の例を示すグラフである。図４の（ａ）は、ＳＴＤ−Ｂ６７のＥＯＴＦを示すグラフであり、（ｂ）は、ＳＴ−２０８４のＥＯＴＦを示すグラフであり、（ｃ）は、ＳＤＲ信号のＥＯＴＦを示すグラフである。図４に示すように、各ＨＤＲ規格およびＳＤＲ規格が採用するＥＯＴＦおよびＳＤＲ信号のＥＯＴＦはそれぞれ異なっている。そのため、画像信号変換部２４は、取得した入力画像信号におけるＥＯＴＦを、ＴＶ３が準拠するＨＤＲ規格に準拠したＥＯＴＦとなるように変換する。
【００４３】
例えば、ＴＶ３がＳＴＤ−Ｂ６７に準拠し、画像信号変換部２４がＳＴ−２０８４に準拠する入力画像信号を取得した場合、画像信号変換部２４は、入力画像信号において、表示する輝度を１００ｃｄ／ｍ２に指定された階調値が、最大階調値を１とした場合の０．５に相当する階調値になるよう変換する構成が挙げられる。
【００４４】
他の例として、ＴＶ３がＳＴ−２０８４に準拠し、画像信号変換部２４がＳＴＤ−Ｂ６７に準拠する入力画像信号を取得した場合、画像信号変換部２４は、入力画像信号において、最大階調値を１とした場合の０．５に相当する階調値が、１００ｃｄ／ｍ２に指定される階調値になるよう変換する構成が挙げられる。
【００４５】
（画像信号変換部２４の処理の例２）
画像信号変換部２４の処理の他の例について説明する。
【００４６】
各ＨＤＲ規格では、最大輝度を指定する方法も異なる。例えば、ＳＴＤ−Ｂ６７では最大輝度は指定されないが、ＳＴ−２０８４のＤｏｌｂｙ  Ｖｉｓｉｏｎ（登録商標）では、フレーム毎に動的に変化するＭＡＸ＿ＣＬＬとして指定される。また、ＳＴ−２０８４のＤｏｌｂｙ  Ｖｉｓｉｏｎ以外の規格では、画像信号が表すコンテンツにおける最大輝度が固定値でＭＡＸ＿ＣＬＬとして指定される。そこで、画像信号変換部２４が、ＴＶ３が出力する最大輝度が、取得した入力画像信号において設定された最大輝度となるように画像信号を変換する処理の例を以下に挙げ、説明する。なお、以下の説明では、ＳＴＢ１が出力信号をＨＤＭＩ規格に準拠する画像信号として出力する場合について説明するため、出力信号に含まれる“ＩＮＦＯ  ＦＲＡＭＥ”のＭＡＸ＿ＣＬＬを設定する構成について説明するが、本発明の構成はこれに限定されない。
【００４７】
例えば、ＴＶ３がＤｏｌｂｙ  Ｖｉｓｉｏｎに準拠し、画像信号変換部２４がＳＴＤ−Ｂ６７に準拠する入力画像信号を取得した場合、画像信号変換部２４は、入力画像信号のフレーム毎の最大階調値を、動的に変化するＭＡＸ＿ＣＬＬとして設定する構成が挙げられる。
【００４８】
また、ＴＶ３がＤｏｌｂｙ  Ｖｉｓｉｏｎに準拠し、画像信号変換部２４がＳＴＤ−Ｂ６７に準拠する入力画像信号を取得した場合の他の例として、画像信号変換部２４は、任意の値をＭＡＸ＿ＣＬＬとして設定する構成が挙げられる。
【００４９】
他の例として、ＴＶ３がＤｏｌｂｙ  Ｖｉｓｉｏｎ以外のＳＴ−２０８４に準拠し、画像信号変換部２４がＳＴＤ−Ｂ６７に準拠する入力画像信号を取得した場合、画像信号変換部２４は、任意の値をＭＡＸ＿ＣＬＬとして設定する構成が挙げられる。
【００５０】
さらに他の例として、ＴＶ３がＤｏｌｂｙ  Ｖｉｓｉｏｎに準拠し、画像信号変換部２４がＤｏｌｂｙ  Ｖｉｓｉｏｎ以外のＳＴ−２０８４に準拠する入力画像信号を取得した場合、画像信号変換部２４は、フレーム毎の最大階調値を、動的に変化するＭＡＸ＿ＣＬＬとして設定する構成が挙げられる。
【００５１】
また、ＴＶ３がＤｏｌｂｙ  Ｖｉｓｉｏｎに準拠し、画像信号変換部２４がＤｏｌｂｙ  Ｖｉｓｉｏｎ以外のＳＴ−２０８４に準拠する入力画像信号を取得した場合の他の例として、画像信号変換部２４は、入力画像信号に含まれるＭＡＸ＿ＣＬＬを、そのままＭＡＸ＿ＣＬＬとして設定する構成が挙げられる。
【００５２】
また、ＴＶ３がＤｏｌｂｙ  Ｖｉｓｉｏｎ以外のＳＴ−２０８４に準拠し、画像信号変換部２４がＤｏｌｂｙ  Ｖｉｓｉｏｎに準拠する場合、画像信号変換部２４は、任意の値をＭＡＸ＿ＣＬＬとして設定する構成が挙げられる。
【００５３】
なお、任意の値の例として、表示部３６が出力可能な輝度の８０％の値や、１０００ｃｄ／ｍ２などが挙げられる。
【００５４】
このように、本実施形態に係る表示システム１００では、ＳＴＢ１は、ＴＶ３から規格情報を取得し、出力対象の画像信号が、規格情報が示す規格に準拠するものではないと判定した場合、出力対象の画像信号を、規格情報が示す規格に準拠したものとなるよう変換する。そのため、表示システム１００では、ＴＶ３が準拠するＨＤＲ規格とは異なるＨＤＲ規格に準拠した画像信号の画像を、ＴＶ３に適切に表示させることができる。
【００５５】
〔実施形態２〕
本発明の他の実施形態について説明する。なお、説明の便宜上、前記実施形態にて説明した部材と同じ機能を有する部材については、同じ符号を付記し、その説明を省略する。本実施形態では、ＳＴＢ１がＴＶ３に適したＨＤＲ規格を選択する方法について説明する。
【００５６】
（ＨＤＲ規格を選択する方法１）
ＳＴＢ１がＨＤＲ規格を選択する方法の一例について説明する。
【００５７】
まず、ＳＴＢ１において、複数のＨＤＲ規格の各々に優先順位を予め定めておく。そして、ＴＶ３が複数のＨＤＲ規格に準拠する場合（規格情報が複数のＨＤＲ規格を示す場合）、画像信号変換部２４は、上述したステップＳ８において、ＴＶ３が準拠するＨＤＲ規格のうち、優先順位が高いＨＤＲ規格に準拠したものとなるよう、入力画像信号を変換する。
【００５８】
このように、ＳＴＢ１において、複数のＨＤＲ規格の各々に優先順位を予め定めておくことにより、ＳＴＢ１は、ＴＶ３が複数のＨＤＲ規格に準拠する場合であっても、入力画像信号を、より適切なＨＤＲ規格の画像信号に変換することができる。
【００５９】
（ＨＤＲ規格を選択する方法２）
ＳＴＢ１がＨＤＲ規格を選択する方法の他の例について説明する。
【００６０】
まず、ＳＴＢ１において、ＴＶ３で設定可能な複数の画質設定の各々に対して、複数のＨＤＲ規格の何れかを関連付けておく。そして、ＴＶ３のＴＶ情報管理部４２は、上述したステップＳ２において、規格情報に加えて、ＴＶ３に設定されている画質設定を示す画質設定情報をさらに出力する。画像信号変換部２４は、上述したステップＳ８において、ＴＶ３から取得した画質設定情報が示す画質設定に関連付けられたＨＤＲ規格に準拠したものとなるよう、入力画像信号を変換する。
【００６１】
このように、ＳＴＢ１において、ＴＶ３で設定可能な複数の画質設定の各々に対して、複数のＨＤＲ規格の何れかを関連付けておくことにより、ＳＴＢ１は、ＴＶ３で設定されている画質設定に適したＨＤＲ規格の画像信号に変換することができる。
【００６２】
（ＨＤＲ規格を選択する方法３）
ＳＴＢ１がＨＤＲ規格を選択する方法のさらに他の例について説明する。
【００６３】
まず、ＳＴＢ１において、入力画像信号が表すコンテンツのジャンルの各々に対して、複数のＨＤＲ規格の何れかを関連付けておく。そして、画像信号変換部２４は、上述したステップＳ８において、入力画像信号が表すコンテンツのジャンルに関連付けられたＨＤＲ規格に準拠したものとなるよう、入力画像信号を変換する。
【００６４】
このように、ＳＴＢ１において、入力画像信号が表すコンテンツのジャンルの各々に対して、複数のＨＤＲ規格の何れかを関連付けておくことにより、ＳＴＢ１は、入力画像信号を、入力画像信号が表すコンテンツに適したＨＤＲ規格の画像信号に変換することができる。
【００６５】
（ＨＤＲ規格を選択する方法４）
ＳＴＢ１がＨＤＲ規格を選択する方法のさらに他の例について説明する。
【００６６】
まず、ＳＴＢ１の規格情報供給部２９は、第２のＳＴＢ通信部１６を介して、ＳＴＢ１が出力信号として準拠する複数のＨＤＲ規格を示す情報を、ＴＶ３に供給する。
【００６７】
ＴＶ３の表示制御部４４は、上記情報を取得すると、当該情報が示す複数のＨＤＲ規格の何れかをユーザに選択させる画面を、表示部３６に表示させる。そして、操作受付部３８が上記複数の何れのＨＤＲ規格を選択する旨の操作信号を受け付けると、ＴＶ情報管理部４２は、何れのＨＤＲ規格が選択さえたのかを示す選択情報を、ＴＶ通信部３２を介して出力する。
【００６８】
ＳＴＢ１のＴＶ情報取得部２２が第２のＳＴＢ通信部１６を介して上記選択情報を取得すると、画像信号変換部２４は、上記選択情報の示すＨＤＲ規格信号の画像信号となるように、入力画像信号を変換する。
【００６９】
このように、ＳＴＢ１は、ＳＴＢ１が出力信号として準拠する複数のＨＤＲ規格を示す情報を、ＴＶ３に供給する。そして、ＳＴＢ１は、ＴＶ３から、何れのＨＤＲ規格が選択されたのかを示す選択情報を取得する。この構成により、ＳＴＢ１は、入力画像信号を、ユーザが所望するＨＤＲ規格の画像信号に変換することができる。
【００７０】
（ＴＶ３がＨＤＲ規格に準拠しない場合の例）
ＴＶ３がＨＤＲ規格に準拠しない場合の例について説明する。
【００７１】
ＳＴＢ１のＴＶ情報取得部２２が取得したＴＶ３の規格情報が、何れのＨＤＲ規格にも準拠していない場合、画像信号変換部２４は、入力画像信号を、ＨＤＲより狭いダイナミックレンジ映像の画像信号であるＳＤＲ画像信号に変換する。
【００７２】
このように、ＳＴＢ１は、ＴＶ３がＨＤＲ規格の何れにも準拠していない場合に、入力画像信号をＳＤＲ画像信号に変換する。そのため、ＳＴＢ１は、ＨＤＲ規格の何れにも準拠していないＴＶ３に対しても、ＨＤＲ規格に準拠した入力画像信号を、表示可能な画像信号に変換することができる。
【００７３】
〔実施形態３〕
本発明の他の実施形態について説明する。なお、説明の便宜上、前記実施形態にて説明した部材と同じ機能を有する部材については、同じ符号を付記し、その説明を省略する。
【００７４】
上述した実施形態では、ＳＴＢ１は１つのＨＤＲ規格に対応した入力画像信号を取得する構成について説明したが、本実施形態では、ＳＴＢ１が複数のＨＤＲ規格の各々に対応した入力画像信号を取得する構成について説明する。
【００７５】
本実施形態では、ＴＶ３が準拠するＨＤＲ規格が、ＨＤＲ規格２であり、ＳＴＢ１は、ＨＤＲ規格１に準拠した入力画像信号をＨＤＲ規格３に変換でき、また、ＨＤＲ規格４に準拠した入力画像信号をＨＤＲ規格２に変換できる場合を例に挙げ、説明する。
【００７６】
まず、ステップＳ２において、ＴＶ３のＴＶ情報管理部４２は、ＨＤＲ２を示す規格情報を、ＴＶ通信部３２を介してＳＴＢ１に出力する。ＳＴＢ１のＴＶ情報取得部２２は、第２のＳＴＢ通信部１６を介して、ＴＶ３から出力された規格情報を取得する。
【００７７】
続いて、ステップＳ４において、画像信号変換部２４は、ＨＤＲ規格１に準拠した入力画像信号を取得する。この場合、ステップＳ６において、判定部２６は、ステップＳ２においてＴＶ情報取得部２２が取得した規格情報が示す規格と、ステップＳ４において画像信号変換部２４が取得した入力画像信号が準拠する規格とは、一致しないと判定する。
【００７８】
この場合、ステップＳ８において、画像信号変換部２４は、ＨＤＲ規格１に準拠した入力画像信号を、ＴＶ３が準拠するＨＤＲ規格２に準拠した画像信号に変換しようとするものの、本実施形態における画像信号変換部２４は、ＨＤＲ規格１に準拠した画像信号をＨＤＲ規格２に準拠した画像信号に変換することはできない。そのため、画像信号変換部２４は、ＨＤＲ規格４に準拠した入力画像信号を、送出機７から取得する。画像信号変換部２４が送出機７からＨＤＲ規格４に準拠した入力画像信号を取得する方法の例として、送出機７に対して、画像信号変換部２４がＨＤＲ規格４に準拠した入力画像信号を要求する構成が挙げられる。
【００７９】
このように、本実施形態におけるＳＴＢ１は、ＴＶ３が準拠するＨＤＲ規格に変換可能でない信号を取得した場合、複数のＨＤＲ規格の各々に対応した信号を送出可能な送出機７から、ＴＶ３が準拠するＨＤＲ規格に変換可能な信号を取得する。そのため、ＳＴＢ１は、ＴＶ３が準拠するＨＤＲ規格に応じて、適切な入力画像信号を取得することができる。
【００８０】
〔ソフトウェアによる実現例〕
ＳＴＢ１の制御ブロック（特にＳＴＢ制御部１４）は、集積回路（ＩＣチップ）等に形成された論理回路（ハードウェア）によって実現してもよいし、ＣＰＵ（Central Processing Unit）を用いてソフトウェアによって実現してもよい。
【００８１】
後者の場合、ＳＴＢ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化され、搬送波に埋め込まれたデータ信号の形態でも実現され得る。
【００８２】
〔まとめ〕
本発明の態様１に係る信号変換装置（ＳＴＢ１）は、第１の映像フォーマットよりも輝度範囲の広い第２の映像フォーマットに従う画像信号を変換する信号変換装置であって、表示装置（ＴＶ３）から、当該表示装置が対応する、上記第２の映像フォーマットに従う１または複数の映像の規格を示す規格情報を取得する取得部（ＴＶ情報取得部）と、出力対象の画像信号が、上記規格情報の示す規格に準拠するものであるか否かを判定する判定部（２６）と、上記判定部が、上記出力対象の画像信号が上記規格情報の示す規格に準拠したものではないと判定した場合、上記出力対象の画像信号を、上記規格情報が示す規格に準拠したものとなるよう変換する変換部（画像信号変換部２４）と、上記変換部によって変換された画像信号を上記表示装置に出力する出力部（画像信号出力部）と、を備える。
【００８３】
上記の構成によれば、本態様に係る信号変換装置は、表示装置が対応する、輝度範囲の広い第２の映像フォーマットに従う映像の規格（以下、ＨＤＲ規格）と、出力対象の画像信号が準拠するＨＤＲ規格とが異なる場合、出力対象の画像信号を、表示装置が準拠するＨＤＲ規格の画像信号となるよう変換する。そのため、本態様に係る信号変換装置は、表示装置が準拠するＨＤＲ規格とは異なるＨＤＲ規格に準拠する画像信号が示す画像を、当該表示装置に適切に表示させることができる。
【００８４】
本発明の態様２に係る信号変換装置は、上記態様１において、第２の映像フォーマットに従う複数の映像の規格の各々に優先順位が予め定められており、上記取得部が取得した規格情報が複数の映像の規格を示す情報であった場合、上記変換部は、上記出力対象の画像信号を、上記規格情報が示す複数の映像の規格のうち、優先順位が高い映像の規格に準拠したものとなるよう変換してもよい。
【００８５】
上記の構成によれば、本態様に係る信号変換装置は、表示装置が複数のＨＤＲ規格に対応する場合であっても、出力対象の画像信号を、より適切なＨＤＲ規格の画像信号に変換することができる。
【００８６】
本発明の態様３に係る信号変換装置は、上記態様１において、上記表示装置において設定可能な複数の画質設定の各々に対して、第２の映像フォーマットに従う複数の映像の規格の何れかが関連付けられており、上記取得部は、上記表示装置に設定されている画質設定を示す画質設定情報をさらに取得し、上記変換部は、上記出力対象の画像信号を、上記取得部が取得した画質設定情報が示す画質設定に関連付けられた映像の規格に準拠したものとなるよう変換してもよい。
【００８７】
上記の構成によれば、本態様に係る信号変換装置は、表示装置において設定されている画質設定に適したＨＤＲ規格の画像信号に変換することができる。
【００８８】
本発明の態様４に係る信号変換装置は、上記態様１において、上記出力対象の画像信号が表すコンテンツのジャンルの各々に対して、第２の映像フォーマットに従う複数の映像の規格の何れかが関連付けられており、上記変換部は、上記出力対象の画像信号を、上記出力対象の画像信号が表すコンテンツのジャンルに関連付けられた映像の規格に準拠したものとなるよう変換してもよい。
【００８９】
上記の構成によれば、本態様に係る信号変換装置は、出力対象の画像信号を、出力対象の画像信号が表すコンテンツに適したＨＤＲ規格の画像信号に変換することができる。
【００９０】
本発明の態様５に係る信号変換装置は、上記態様１において、当該信号変換装置の出力信号として準拠する、第２の映像フォーマットに従う複数の映像の規格を示す情報を、表示装置に供給する規格情報供給部をさらに備え、上記取得部は、何れの第２の映像フォーマットに従う映像の規格が選択されたのかを示す選択情報をさらに取得し、上記変換部は、上記出力対象の画像信号を、上記取得部が取得した選択情報の示す映像の規格の画像信号となるよう変換してもよい。
【００９１】
上記の構成によれば、本態様に係る信号変換装置は、出力対象の画像信号を、表示装置のユーザが所望するＨＤＲ規格の画像信号に変換することができる。
【００９２】
本発明の態様６に係る信号変換装置は、上記態様１〜５の何れかにおいて、上記表示装置が上記第２の映像フォーマットに従う１または複数の映像の規格の何れにも準拠していない場合に、上記変換部は、上記出力対象の画像信号を、上記第１の映像フォーマットに従う映像の画像信号に変換してもよい。
【００９３】
上記の構成によれば、本態様に係る信号変換装置は、表示装置がＨＤＲ規格の何れにも準拠していない場合であっても、表示装置が表示可能な画像信号に変換することができる。
【００９４】
本発明の態様７に係る信号変換装置は、上記態様１〜６の何れかにおいて、第２の映像フォーマットに従う複数の映像の規格の各々に対応した信号を送信可能な送出機から上記出力対象の画像信号を取得する受信部（画像信号変換部２４）を更に備え、上記出力対象の画像信号が、上記変換部によって上記表示装置が準拠する第２の映像フォーマットに従う映像の規格に変換可能な信号でない場合に、上記受信部は、上記表示装置が準拠する第２の映像フォーマットに従う映像の規格に変換可能な信号を取得してもよい。
【００９５】
上記の構成によれば、本態様に係る信号変換装置は、表示装置が準拠するＨＤＲ規格に応じて、適切な出力対象の画像信号を取得することができる。
【００９６】
本発明の態様８に係る信号変換装置は、上記態様１〜７の何れかにおいて、セットトップボックスとして機能する。
【００９７】
上記の構成によれば、上記態様１〜７の何れかに係る信号変換装置として機能するセットトップボックスを実現できる。
【００９８】
本発明の態様９に係るテレビジョン受像機は、上記態様１〜７の何れかに記載の信号変換装置を備えている。
【００９９】
上記の構成によれば、上記態様１〜７の何れかに係る信号変換装置として機能するテレビジョン受像機を実現できる。
【０１００】
本発明の各態様に係る信号変換装置は、コンピュータによって実現してもよく、この場合には、コンピュータを上記信号変換装置が備える各部（ソフトウェア要素）として動作させることにより上記信号変換装置をコンピュータにて実現させる信号変換装置のプログラム、およびそれを記録したコンピュータ読み取り可能な記録媒体も、本発明の範疇に入る。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０２】
１      セットトップボックス（ＳＴＢ、信号変換装置）
３      テレビジョン受像機（ＴＶ、表示装置）
７      送出機
２２    ＴＶ情報取得部（取得部）
２４    画像信号変換部（変換部、受信部）
２６    判定部
２８    画像信号出力部（出力部）
３４    ＴＶ制御部
４２    ＴＶ情報管理部
４４    表示制御部
１００  表示システム
【手続補正２】
【補正対象書類名】特許請求の範囲
【補正対象項目名】全文
【補正方法】変更
【補正の内容】
【特許請求の範囲】
【請求項１】
第１の映像フォーマットよりも輝度範囲の広い第２の映像フォーマットに従う画像信号を変換する信号変換装置であって、
表示装置から、当該表示装置が対応する、上記第２の映像フォーマットに従う１または複数の映像の規格を示す規格情報を取得する取得部と、
出力対象の画像信号が、上記規格情報の示す規格に準拠するものであるか否かを判定する判定部と、
上記判定部が、上記出力対象の画像信号が上記規格情報の示す規格に準拠したものではないと判定した場合、上記出力対象の画像信号を、上記規格情報が示す規格に準拠したものとなるよう変換する変換部と、
上記変換部によって変換された画像信号を上記表示装置に出力する出力部と、
を備えることを特徴とする信号変換装置。
【請求項２】
第２の映像フォーマットに従う複数の映像の規格の各々に優先順位が予め定められており、
上記取得部が取得した規格情報が複数の映像の規格を示す情報であった場合、
上記変換部は、上記出力対象の画像信号を、上記規格情報が示す複数の映像の規格のうち、優先順位が高い映像の規格に準拠したものとなるよう変換する、
ことを特徴とする請求項１に記載の信号変換装置。
【請求項３】
上記表示装置において設定可能な複数の画質設定の各々に対して、第２の映像フォーマットに従う複数の映像の規格の何れかが関連付けられており、
上記取得部は、上記表示装置に設定されている画質設定を示す画質設定情報をさらに取得し、
上記変換部は、上記出力対象の画像信号を、上記取得部が取得した画質設定情報が示す画質設定に関連付けられた映像の規格に準拠したものとなるよう変換する、
ことを特徴とする請求項１に記載の信号変換装置。
【請求項４】
上記出力対象の画像信号が表すコンテンツのジャンルの各々に対して、第２の映像フォーマットに従う複数の映像の規格の何れかが関連付けられており、
上記変換部は、上記出力対象の画像信号を、上記出力対象の画像信号が表すコンテンツのジャンルに関連付けられた映像の規格に準拠したものとなるよう変換する、
ことを特徴とする請求項１に記載の信号変換装置。
【請求項５】
当該信号変換装置の出力信号として準拠する、第２の映像フォーマットに従う複数の映像の規格を示す情報を、表示装置に供給する規格情報供給部をさらに備え、
上記取得部は、何れの第２の映像フォーマットに従う映像の規格が選択されたのかを示す選択情報をさらに取得し、
上記変換部は、上記出力対象の画像信号を、上記取得部が取得した選択情報の示す映像の規格の画像信号となるよう変換する、
ことを特徴とする請求項１に記載の信号変換装置。
【請求項６】
上記表示装置が上記第２の映像フォーマットに従う１または複数の映像の規格の何れにも準拠していない場合に、
上記変換部は、上記出力対象の画像信号を、上記第１の映像フォーマットに従う映像の画像信号に変換する、
ことを特徴とする請求項１〜５の何れか１項に記載の信号変換装置。
【請求項７】
第２の映像フォーマットに従う複数の映像の規格の各々に対応した信号を送信可能な送出機から上記出力対象の画像信号を取得する受信部を更に備え、
上記出力対象の画像信号が、上記変換部によって上記表示装置が準拠する第２の映像フォーマットに従う映像の規格に変換可能な信号でない場合に、上記受信部は、上記表示装置が準拠する第２の映像フォーマットに従う映像の規格に変換可能な信号を取得する、
ことを特徴とする請求項１〜６の何れか１項に記載の信号変換装置。
【請求項８】
セットトップボックスとして機能することを特徴とする請求項１から７の何れか１項に記載の信号変換装置。
【請求項９】
第１の映像フォーマットよりも輝度範囲の広い第２の映像フォーマットに従う画像信号を変換する信号変換方法であって、
表示装置から、当該表示装置が対応する、上記第２の映像フォーマットに従う１または複数の映像の規格を示す規格情報を取得し、
出力対象の画像信号が、上記規格情報の示す規格に準拠するものでない場合、上記出力対象の画像信号を、上記規格情報が示す規格に準拠したものとなるよう変換し、
変換された画像信号を上記表示装置に出力する、
ことを特徴とする信号変換方法。
【請求項１０】
請求項１から７の何れか１項に記載の信号変換装置を備えていることを特徴とするテレビジョン受像機。
【請求項１１】
請求項１から７の何れか１項に記載の信号変換装置としてコンピュータを機能させるためのプログラムであって、上記取得部、上記判定部、上記変換部および上記出力部としてコンピュータを機能させるためのプログラム。
【請求項１２】
請求項１１に記載のプログラムを記録したコンピュータ読み取り可能な記録媒体。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
第１の映像フォーマットよりも輝度範囲の広い第２の映像フォーマットに従う画像信号を変換する信号変換装置であって、
表示装置から、当該表示装置が対応する、上記第２の映像フォーマットに従う１または複数の映像の規格を示す規格情報を取得する取得部と、
出力対象の画像信号が、上記規格情報の示す規格に準拠するものであるか否かを判定する判定部と、
上記判定部が、上記出力対象の画像信号が上記規格情報の示す規格に準拠したものではないと判定した場合、上記出力対象の画像信号を、上記規格情報が示す規格に準拠したものとなるよう変換すると共に、上記出力対象の画像信号のＥＯＴＦを、上記規格情報が示す規格に準拠したものとなるよう変換する変換部と、
上記変換部によって変換された画像信号を上記表示装置に出力する出力部と、
を備えることを特徴とする信号変換装置。
【請求項２】
第１の映像フォーマットよりも輝度範囲の広い第２の映像フォーマットに従う画像信号を変換する信号変換装置であって、
表示装置から、当該表示装置が対応する、上記第２の映像フォーマットに従う１または複数の映像の規格を示す規格情報を取得する取得部と、
出力対象の画像信号が、上記規格情報の示す規格に準拠するものであるか否かを判定する判定部と、
上記判定部が、上記出力対象の画像信号が上記規格情報の示す規格に準拠したものではないと判定した場合、上記出力対象の画像信号を、上記規格情報が示す規格に準拠したものとなるよう変換すると共に、上記出力対象の画像信号に含まれる最大輝度に関する情報を、上記規格情報が示す規格に準拠したものとなるよう設定する変換部と、
上記変換部によって変換された画像信号を上記表示装置に出力する出力部と、
を備えることを特徴とする信号変換装置。
【請求項３】
第２の映像フォーマットに従う複数の映像の規格の各々に優先順位が予め定められており、
上記取得部が取得した規格情報が複数の映像の規格を示す情報であった場合、
上記変換部は、上記出力対象の画像信号を、上記規格情報が示す複数の映像の規格のうち、優先順位が高い映像の規格に準拠したものとなるよう変換する、
ことを特徴とする請求項１または２に記載の信号変換装置。
【請求項４】
上記表示装置において設定可能な複数の画質設定の各々に対して、第２の映像フォーマットに従う複数の映像の規格の何れかが関連付けられており、
上記取得部は、上記表示装置に設定されている画質設定を示す画質設定情報をさらに取得し、
上記変換部は、上記出力対象の画像信号を、上記取得部が取得した画質設定情報が示す画質設定に関連付けられた映像の規格に準拠したものとなるよう変換する、
ことを特徴とする請求項１または２に記載の信号変換装置。
【請求項５】
上記出力対象の画像信号が表すコンテンツのジャンルの各々に対して、第２の映像フォーマットに従う複数の映像の規格の何れかが関連付けられており、
上記変換部は、上記出力対象の画像信号を、上記出力対象の画像信号が表すコンテンツのジャンルに関連付けられた映像の規格に準拠したものとなるよう変換する、
ことを特徴とする請求項１または２に記載の信号変換装置。
【請求項６】
当該信号変換装置の出力信号として準拠する、第２の映像フォーマットに従う複数の映像の規格を示す情報を、表示装置に供給する規格情報供給部をさらに備え、
上記取得部は、何れの第２の映像フォーマットに従う映像の規格が選択されたのかを示す選択情報をさらに取得し、
上記変換部は、上記出力対象の画像信号を、上記取得部が取得した選択情報の示す映像の規格の画像信号となるよう変換する、
ことを特徴とする請求項１または２に記載の信号変換装置。
【請求項７】
上記表示装置が上記第２の映像フォーマットに従う１または複数の映像の規格の何れにも準拠していない場合に、
上記変換部は、上記出力対象の画像信号を、上記第１の映像フォーマットに従う映像の画像信号に変換する、
ことを特徴とする請求項１〜６の何れか１項に記載の信号変換装置。
【請求項８】
第２の映像フォーマットに従う複数の映像の規格の各々に対応した信号を送信可能な送出機から上記出力対象の画像信号を取得する受信部を更に備え、
上記出力対象の画像信号が、上記変換部によって上記表示装置が準拠する第２の映像フォーマットに従う映像の規格に変換可能な信号でない場合に、上記受信部は、上記表示装置が準拠する第２の映像フォーマットに従う映像の規格に変換可能な信号を取得する、
ことを特徴とする請求項１〜７の何れか１項に記載の信号変換装置。
【請求項９】
セットトップボックスとして機能することを特徴とする請求項１〜８の何れか１項に記載の信号変換装置。
【請求項１０】
第１の映像フォーマットよりも輝度範囲の広い第２の映像フォーマットに従う画像信号を変換する信号変換方法であって、
表示装置から、当該表示装置が対応する、上記第２の映像フォーマットに従う１または複数の映像の規格を示す規格情報を取得し、
出力対象の画像信号が、上記規格情報の示す規格に準拠するものでない場合、上記出力対象の画像信号を、上記規格情報が示す規格に準拠したものとなるよう変換すると共に、上記出力対象の画像信号のＥＯＴＦを、上記規格情報が示す規格に準拠したものとなるよう変換し、
変換された画像信号を上記表示装置に出力する、
ことを特徴とする信号変換方法。
【請求項１１】
第１の映像フォーマットよりも輝度範囲の広い第２の映像フォーマットに従う画像信号を変換する信号変換方法であって、
表示装置から、当該表示装置が対応する、上記第２の映像フォーマットに従う１または複数の映像の規格を示す規格情報を取得し、
出力対象の画像信号が、上記規格情報の示す規格に準拠するものでない場合、上記出力対象の画像信号を、上記規格情報が示す規格に準拠したものとなるよう変換すると共に、上記出力対象の画像信号に含まれる最大輝度に関する情報を、上記規格情報が示す規格に準拠したものとなるよう設定し、
変換された画像信号を上記表示装置に出力する、
ことを特徴とする信号変換方法。
【請求項１２】
請求項１〜８の何れか１項に記載の信号変換装置を備えていることを特徴とするテレビジョン受像機。
【請求項１３】
請求項１〜８の何れか１項に記載の信号変換装置としてコンピュータを機能させるためのプログラムであって、上記取得部、上記判定部、上記変換部および上記出力部としてコンピュータを機能させるためのプログラム。
【請求項１４】
請求項１３に記載のプログラムを記録したコンピュータ読み取り可能な記録媒体。